(57)【要約】【課題】利用者の行動情報をもとに入力された行動予定を補完する。【解決手段】行動予定補完システム１０は、利用者の入力に応じて、該利用者の行動予定に関する情報を入力する入力装置１０１と、利用者の所定の行動を検知するセンサ１０４と、センサにより検知された利用者の所定の行動に基づいて、入力された利用者の行動予定に関する情報を補完する情報処理装置と、を備え、情報処理装置は、センサにより検知された利用者の所定の行動に関する行動情報を蓄積する蓄積部と、蓄積された行動情報に基づいて、利用者の行動を予測する行動予測部と、行動予測部により予測された利用者の行動予測情報を用いて、入力装置に入力された利用者の行動予定に関する情報を補完する情報補完部と、を備える。【選択図】図１
2011070501.tif 000002
【特許請求の範囲】
【請求項１】
利用者の入力に応じて、該利用者の行動予定に関する情報を入力する入力装置と、
利用者の所定の行動を検知するセンサと、
前記センサにより検知された利用者の所定の行動に基づいて、前記入力された利用者の行動予定に関する情報を補完する情報処理装置と、
を備え、
前記情報処理装置は、
前記センサにより検知された利用者の所定の行動に関する行動情報を蓄積する蓄積部と、
前記蓄積された行動情報に基づいて、前記利用者の行動を予測する行動予測部と、
前記行動予測部により予測された利用者の行動予測情報を用いて、前記入力装置に入力された利用者の行動予定に関する情報を補完する情報補完部と、
を備えることを特徴とする、行動予定補完システム。
【請求項２】
前記情報処理装置は、
前記入力装置に入力された利用者の行動予定に関する情報を、該利用者の行動予定表として表示装置に表示させる表示制御部を備えることを特徴とする、請求項１に記載の行動予定補完システム。
【請求項３】
前記情報処理装置に備わる表示制御部は、
前記入力装置に入力された利用者の行動予定に関する情報に、前記情報補完部により前記行動予測情報を用いて補完された利用者の行動予定を付加した情報を利用者の行動予定表として表示装置に表示させることを特徴とする、請求項２に記載の情報処理装置。
【請求項４】
前記情報処理装置に備わる蓄積部は、さらに、
前記入力装置に入力された利用者の行動予定に関する情報と、
前記行動予測部により予測された利用者の行動予測情報と、
を利用者ごとに関連付けて蓄積することを特徴とする、請求項１に記載の行動予定補完システム。
【請求項５】
前記センサが複数備えられ、
前記情報処理装置に備わる前記行動予測部は、
前記複数のセンサにより検知された検知結果を組み合わせて、利用者の行動を予測することを特徴とする、請求項１に記載の情報処理装置。
【請求項６】
利用者が着席しているかを検知する着座センサと、
利用者が使用する情報処理端末の使用状態を検知する端末電源検知センサと、を備え、
前記情報処理装置に備わる前記行動予測部は、
前記着座センサおよび前記端末電源検知センサにより検知された検知結果を組み合わせて、利用者の在席傾向を予測し、
前記情報処理装置に備わる前記情報補完部は、前記行動予測部により予測された前記利用者の在席傾向に関する情報を用いて、利用者の行動予定に関する情報を補完することを特徴とする、請求項１に記載の行動予定補完システム。
【請求項７】
前記情報処理装置に備わる前記行動予測部は、
利用者により入力された前記行動予定の予定実行場所の情報と、前記利用者の在席傾向に関する情報から、前記予定実行場所までの移動時間の傾向を予測し、
前記情報処理装置に備わる前記情報補完部は、前記行動予測部により予測された前記予定実行場所までの移動時間に関する情報を用いて、利用者の行動予定に関する情報を補完することを特徴とする、請求項６に記載の行動予定補完システム。
【請求項８】
前記情報処理装置に備わる前記行動予測部は、
利用者により入力された前記行動予定の予定重要度の情報および予定準備必要度と、前記利用者の在席傾向に関する情報から、利用者の前記行動予定が実行されるまでの準備時間の傾向を予測し、
前記情報処理装置に備わる前記情報補完部は、前記行動予測部により予測された前記行動予定が実行されるまでの準備時間に関する情報を用いて、利用者の行動予定に関する情報を補完することを特徴とする、請求項６に記載の行動予定補完システム。
【請求項９】
利用者の所定の行動を検知するセンサにより検知された利用者の所定の行動に関する行動情報を蓄積する蓄積部と、
前記蓄積された行動情報に基づいて、前記利用者の行動を予測する行動予測部と、
前記行動予測部により予測された利用者の行動予測情報を用いて、前記入力装置に入力された利用者の行動予定に関する情報を補完する情報補完部と、
前記情報補完部により補完された利用者の行動予定に関する情報を、該利用者の行動予定表として表示装置に表示させる表示制御部と、
を備えることを特徴とする、情報処理装置。
【発明の詳細な説明】
【技術分野】
【０００１】
本発明は、行動予定補完システムおよび情報処理装置に関する。
【背景技術】
【０００２】
一般的に、多人数が協力して活動する場であるオフィスなどでは、各人の行動予定を時系列で把握して、活動計画を立てたり、活動を実行したりしている。例えば、一般的な行動予定表作成システムを用いて、各人の行動予定を図８に示す行動予定表に示すことにより、誰が、いつ、どこで、何をするかを把握することができる。
【０００３】
行動予定表作成システムを利用する各人が正確な予定情報を入力し、入力された予定情報の通りに行動する場合は、行動予定表をもとに活動計画を立てることが有効である。しかし、行動予定表作成システムに誤った予定情報が入力されていたり、実際には入力された行動予定とは異なる行動をしていたりする場合には、予定情報をもとに行動計画等をすることが困難であるという問題があった。
【０００４】
そこで、行動予定表に入力されている予定情報を実際の行動とできるだけ一致させるように修正する技術が開示されている（例えば、特許文献１）。特許文献１では、図９に示した構成を有することにより、各人が所持する端末の現在の位置情報と、各人の過去の移動履歴情報とを用いて、予定表に入力されている情報を実際の位置情報に即した情報に修正・更新する。これにより、入力された予定と実際の行動との誤差を低減させることができる。
【先行技術文献】
【特許文献】
【０００５】
【特許文献１】特開平２００４−３０２６３７号公報
【特許文献２】特開平６−３３２９０６号公報
【発明の概要】
【発明が解決しようとする課題】
【０００６】
しかし、行動予定表に入力されている予定情報が実際の行動に即したものであったとしても、行動計画等を立てる際には、行動予定表の予定情報だけでは不十分な場合が多い。例えば、行動計画等を立てる際には、行動予定表には入力されない行動予定の前後の準備時間の情報や、各人の出社・退社時間の情報などを考慮する必要であるが、これらの情報は行動予定表には入力されないことが多い。そのため、行動予定表に予定が入力されていない空白の時間帯のすべてが利用可能な空き時間であるとみなされて、各人の意図しない時間に行動計画等が立てられてしまうという問題があった。
そこで、本発明は、上記問題に鑑みてなされたものであり、本発明の目的とするところは、利用者の行動情報をもとに入力された行動予定を補完することが可能な、新規かつ改良された行動予定補完システムおよび情報処理装置を提供することにある。
【課題を解決するための手段】
【０００７】
上記課題を解決するために、本発明のある観点によれば、利用者の入力に応じて、該利用者の行動予定に関する情報を入力する入力装置と、利用者の所定の行動を検知するセンサと、センサにより検知された利用者の所定の行動に基づいて、入力された利用者の行動予定に関する情報を補完する情報処理装置と、を備える行動予定補完システムが提供される。
【０００８】
上記情報処理装置は、センサにより検知された利用者の所定の行動に関する行動情報を蓄積する蓄積部と、蓄積された行動情報に基づいて、利用者の行動を予測する行動予測部と、行動予測部により予測された利用者の行動予測情報を用いて、入力装置に入力された利用者の行動予定に関する情報を補完する情報補完部と、を備える。
【０００９】
また、上記情報処理装置は、入力装置に入力された利用者の行動予定に関する情報を、該利用者の行動予定表として表示装置に表示させる表示制御部を備えてもよい。
【００１０】
また、上記情報処理装置に備わる表示制御部は、入力装置に入力された利用者の行動予定に関する情報に、情報補完部により行動予測情報を用いて補完された利用者の行動予定を付加した情報を利用者の行動予定表として表示装置に表示させてもよい。
【００１１】
また、上記情報処理装置に備わる蓄積部は、さらに、入力装置に入力された利用者の行動予定に関する情報と、行動予測部により予測された利用者の行動予測情報と、を利用者ごとに関連付けて蓄積してもよい。
【００１２】
また、センサが複数備えられ、情報処理装置に備わる行動予測部は、複数のセンサにより検知された検知結果を組み合わせて、利用者の行動を予測してもよい。
【００１３】
また、利用者が着席しているかを検知する着座センサと、利用者が使用する情報処理端末の使用状態を検知する端末電源検知センサと、を備え、情報処理装置に備わる行動予測部は、着座センサおよび端末電源検知センサにより検知された検知結果を組み合わせて、利用者の在席傾向を予測し、情報処理装置に備わる情報補完部は、行動予測部により予測された利用者の在席傾向に関する情報を用いて、利用者の行動予定に関する情報を補完してもよい。
【００１４】
また、情報処理装置に備わる行動予測部は、利用者により入力された行動予定の予定実行場所の情報と、利用者の在席傾向に関する情報から、予定実行場所までの移動時間の傾向を予測し、情報処理装置に備わる情報補完部は、行動予測部により予測された予定実行場所までの移動時間に関する情報を用いて、利用者の行動予定に関する情報を補完してもよい。
【００１５】
また、情報処理装置に備わる行動予測部は、利用者により入力された行動予定の予定重要度の情報および予定準備必要度と、利用者の在席傾向に関する情報から、利用者の行動予定が実行されるまでの準備時間の傾向を予測し、情報処理装置に備わる情報補完部は、行動予測部により予測された行動予定が実行されるまでの準備時間に関する情報を用いて、利用者の行動予定に関する情報を補完してもよい。
【００１６】
また、上記課題を解決するために、本発明の別の観点によれば、利用者の所定の行動を検知するセンサにより検知された利用者の所定の行動に関する行動情報を蓄積する蓄積部と、蓄積された行動情報に基づいて、利用者の行動を予測する行動予測部と、行動予測部により予測された利用者の行動予測情報を用いて、入力装置に入力された利用者の行動予定に関する情報を補完する情報補完部と、情報補完部により補完された利用者の行動予定に関する情報を、該利用者の行動予定表として表示装置に表示させる表示制御部と、を備えることを特徴とする、情報処理装置が提供される。
【発明の効果】
【００１７】
以上説明したように本発明によれば、利用者の行動情報をもとに入力された行動予定を補完することができる。
【図面の簡単な説明】
【００１８】
【図１】本発明の一実施形態にかかる行動予定補完システムの構成を示すブロック図である。
【図２】同実施形態にかかるセンサ部の具体的な構成例を示すブロック図である。
【図３】同実施形態にかかる対象者の状態について説明する説明図である。
【図４】同実施形態にかかる行動予測用データベースに蓄積されたデータについて説明する説明図である。
【図５】同実施形態にかかるデータベースの具体的な構成例を示すブロック図である。
【図６】同実施形態にかかる行動予定の出力形式を説明する説明図である。
【図７】同実施形態にかかるデータベースの具体的な構成例を示すブロック図である。
【図８】従来の行動予定表の例を説明する説明図である。
【図９】従来の行動予定表作成システムの構成を示すブロック図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
また、以下に示す順序に従って、当該「発明を実施するための形態」を説明する。
〔１〕本実施形態の目的
〔２〕本実施形態の概要
〔３〕行動予定補完システムの構成
〔４〕行動予定補完システムの動作の詳細
【００２１】
〔１〕本実施形態の目的
まず、本実施形態の目的について説明する。一般的に、多人数が協力して活動する場であるオフィスなどでは、各人の行動予定を時系列で把握して、活動計画を立てたり、活動を実行したりしている。例えば、一般的な行動予定表作成システムを用いて、各人の行動予定を図８に示す行動予定表に示すことにより、誰が、いつ、どこで、何をするかを把握することができる。
【００２２】
行動予定表作成システムを利用する各人が正確な予定情報を入力し、入力された予定情報の通りに行動する場合は、行動予定表をもとに活動計画を立てることが有効である。しかし、行動予定表作成システムに誤った予定情報が入力されていたり、実際には入力された行動予定とは異なる行動をしていたりする場合には、予定情報をもとに行動計画等をすることができないという問題があった。
【００２３】
そこで、行動予定表に入力されている予定情報を実際の行動とできるだけ一致させるように修正する技術が開示されている。当該技術では、図９に示した構成を有することにより、各人が所持する端末の現在の位置情報と、各人の過去の移動履歴情報とを用いて、予定表に入力されている情報を実際の位置情報に即した情報に修正・更新する。これにより、入力された予定と実際の行動との誤差を低減させることができる。
【００２４】
しかし、行動予定表に入力されている予定情報が実際の行動に即したものであったとしても、行動計画等を立てる際には、行動予定表の予定情報だけでは不十分な場合が多い。例えば、行動計画等を立てる際には、行動予定表には入力されない行動予定の前後の準備時間の情報や、各人の出社・退社時間の情報などを考慮する必要であるが、これらの情報は行動予定表には入力されないことが多い。そのため、行動予定表に予定が入力されていない空白の時間帯のすべてが利用可能な空き時間であるとみなされて、各人の意図しない時間に行動計画等が立てられてしまうという問題があった。
【００２５】
そこで、上記のような事情を一着眼点として、本発明の実施形態にかかる行動予定補完システム１０が創作されるに至った。本実施形態にかかる行動予定補完システム１０によれば、利用者の行動情報をもとに入力された行動予定を補完することが可能となる。
【００２６】
〔２〕本実施形態の概要
以上、本実施形態の目的について説明した。次に、本実施形態の行動予定補完システム１０の概要について説明する。本実施形態では、利用者により入力された行動予定をもとに、会議開催スケジュールを調整する場合を例示して説明する。一般的に、会議開催スケジュールを調整するシステムでは、会議参加予定者の行動予定表の予定が入力されていない時間帯を走査して、会議開催スケジュールを自動調整している。会議開催スケジュールを自動調整する際に利用される行動予定表は、会議参加予定者等の利用者により入力された情報である。
【００２７】
しかし、利用者により入力された行動予定表には、特別な予定以外は入力されないことが多い。例えば、利用者の入社時間や退社時間に関する情報や、利用者が在席しているか不在にしているかなどの情報は行動予定表には入力されない。また、行動予定表に入力されている会議等の予定情報についても、予定された会議等を行う時間帯の情報のみが入力されていることが多く、予定前後の準備時間などは入力されていない。例えば、社外で会議が予定されている場合でも、会議開催場所に行くまでの時間や会議開催場所から帰ってくる時間などについては入力されていない。
【００２８】
従来は、行動予定表に予定が入力されていない時間をすべて空き時間とみなして、会議開催スケジュールを調整していた。しかし、上記したように、行動予定表に入力されていなくても、移動や準備に必要な時間を考慮して会議開催スケジュールを調整しなければ、利用者の意図しない時間に会議が開催されてしまうという問題が発生する。
【００２９】
したがって、行動予定表に入力されていない情報も考慮して会議開催スケジュールを調整する必要がある。そこで、本実施形態では、上記したような行動予定表に入力されていないが、スケジュール調整に必要な情報を補完して、会議開催スケジュールを適切に行うことを可能としている。具体的には、利用者の在席等を検知するセンサを用いて取得した情報を蓄積して、行動予定表に予定情報が入力されていない空白部分について行動の予測を行う。そして、その予測情報を行動予定表の空白部分に埋め込むことにより、行動予定表を補完する。
【００３０】
このように、予測情報に基づいて行動予定表を補完することで、行動予定表には通常入力されない習慣的な行動情報（例えば、在・不在情報）などを行動予定表に反映させることができる。これにより行動予定表の情報を利用する側は、より詳細で適切な予定情報を把握することが可能となる。
【００３１】
以下では、行動予定表に入力されていない空白部分を補完して、会議開催スケジュールを調整する場合について説明しているが、かかる例に限定されない。本実施形態にかかる行動予定補完システム１０は、例えば、会議等の部屋の利用予定表や、機材や道具の使用予定表などにも適用可能である。
【００３２】
〔３〕行動予定補完システムの構成
以上、行動予定補完システム１０の概要について説明した。次に、図１および図２を参照して、行動予定補完システム１０の構成について説明する。図１は、行動予定補完システム１０の構成を示すブロック図である。図１に示したように、行動予定補完システム１０は、入力装置１０１、行動予定表処理部１０２、出力装置１０３、センサ部１０４、行動予測演算装置１０５、データベース１０６などを備える。データベース１０６には、行動予定表用データベース１０６ａおよび行動予測用データベース１０６ｂが備わる。
【００３３】
行動予定補完システム１０に含まれる上記の各装置は、別体の装置として構成してもよいし、各装置を一体の装置として構成するようにしてもよい。
【００３４】
入力装置１０１は、例えば、マウス、キーボード、タッチパネル、ボタン、マイク、スイッチおよびレバーなどユーザが情報を入力するための入力手段と、ユーザによる入力に基づいて入力信号を生成し、行動予定表処理部１０２などに出力する入力制御回路などから構成されている。利用者は、該入力装置１０１を操作することにより、各種のデータを入力したり処理動作を指示したりすることができる。具体的には、行動予定表の表示形式の走査や、行動予定表の予定情報を入力する際に使用される。行動予定表に関する操作入力の情報は、行動予定表処理部１０２に提供される。入力された行動予定表の予定情報は、データベース１０６の行動予定表用データベース１０６ａで管理される。
【００３５】
行動予定表処理部１０２は、行動予定表用データベース１０６ａで管理されている予定情報を、後述する出力装置１０３に出力する表示形式を調整する機能を有する。出力装置１０３に出力される予定情報の表示形式は、入力装置１０１からの操作入力に応じて変更することができる。行動予定表処理部１０２は、コンピュータにより構成され、その動作は、ＲＯＭに記憶されたプログラムをもとに、ＣＰＵで実行される。行動予定表処理部１０２は、本発明の情報補完部および表示制御部の一例である。
【００３６】
出力装置１０３は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置で構成される。出力装置１０３は、行動予定表の情報を利用者に使用可能な形式にして出力する。出力装置１０３に出力される行動予定表の情報は、行動予定表処理部１０２により処理された表示形式にしたがって出力される。出力装置１０３は、本発明の表示装置の一例である。
【００３７】
センサ部１０４は、各種情報を検知したり取得したりする機能を有する情報処理装置である。本実施形態では、センサ部１０４は、行動予定表に入力されている予定情報以外の空白部分を埋めるための行動予測を行う際に利用する情報を取得する。行動予測を行う際に利用する情報とは、例えば、利用者の着席や離席の情報や、利用者の所有する端末の使用状況の情報などである。センサ部１０４により取得された情報は、行動予測用データベース１０６ｂで管理される。センサ部１０４の具体的な装置および取得する情報については後で詳細に説明する。センサ部１０４は、本発明のセンサの一例である。
【００３８】
行動予測演算装置１０５は、センサ部１０４により取得された行動予測用データベース１０６ｂに格納されている情報や、行動予定表用データベース１０６ａに格納されている情報から、利用者の行動を予測する機能を有する。行動予測演算装置１０５により予測される利用者の行動とは、行動予定表に入力されている予定以外の行動である。利用者の行動を予測するために使用する情報や、行動予測の具体的な方法については、後で詳細に説明する。
【００３９】
行動予測演算装置１０５により演算された予測情報は、行動予定表用データベース１０６ａおよび行動予測用データベース１０６ｂで管理される。なお、行動予測演算装置１０５は、コンピュータにより構成され、その動作は、ＲＯＭに記憶されたプログラムをもとに、ＣＰＵで実行される。行動予測演算装置１０５は、本発明の行動予測部の一例である。
【００４０】
データベース１０６は、各種情報を管理する機能を有し、センサ部１０４により検知された利用者の行動を蓄積したり、行動予測演算装置１０５により提供された情報を保持したりする機能を有する。また、データベース１０６は、例えば、ＨＤＤ（Ｈａｒｄ  Ｄｉｓｋ  Ｄｒｉｖｅ）で構成される。上記したように、データベース１０６は、行動予定表用データベース１０６ａと行動予測用データベース１０６ｂとを含む。データベース１０６は、本発明の蓄積部の一例である。
【００４１】
行動予定表用データベース１０６ａには、上記したように、入力装置１０１により入力された予定情報や、行動予測演算装置１０５により処理された行動予測情報が保管・管理されている。また、行動予定表用データベース１０６ａに保管・管理されている情報は、行動予定表処理部１０２で出力データを調整する際に参照される。
【００４２】
行動予測用データベース１０６ｂには、上記したように、センサ部１０４で取得された行動予測に利用される情報が保管・管理されている。行動予測用データベース１０６ｂで保管・管理されている情報は、行動予測演算装置１０５で行動予測を行う際に参照される。また、行動予測装置１０５により処理された行動予測に関する情報も保管・管理される。
【００４３】
また、例えば、行動予定補完システム１０をサーバ−クライアント型のシステムで構成する場合には、入力装置１０１、出力装置１０３、センサ部１０４を、行動予定表を利用する各クライアント側に備えてもよい。また、行動予定表処理部１０２、行動予測演算装置１０５、データベース１０６は、サーバ上で一括して管理したり各種処理を実行したりしてもよい。
【００４４】
〔４〕行動予定補完システムの動作の詳細
以上、行動予定補完システム１０の構成について説明した。次に図２〜図９を参照して、行動予定補完システム１０の動作の詳細について説明する。以下では、行動予定表の空白部分を埋めるための行動予測の手法について、いくつか例示して説明する。行動予定表の情報を利用する日常的な場面として、オフィス活動などにおける対象の予定を確認して、会議開催スケジュールを立てる状況を想定して以下説明する。したがって、行動予測に用いる情報や予測する利用者の行動は、オフィス活動と関連のあるものを例示するが、かかる例に限定されない。
【００４５】
以下では、会議スケジュールを立てる際に参考にする行動予定表情報として、対象の存在場所と対象の状態を予測して、行動予定表の空白部分を埋めている。まず、対象の存在場所の予測について説明する。
【００４６】
＜存在場所の予測＞
〔４−１〕習慣的な座席情報の予測方法
対象の習慣的な在席情報を予測するために、対象座席情報をセンサ部１０４により取得し、データベース１０６に蓄積する。そして、行動予測演算装置１０５は、データベース１０６に蓄積された情報を解析することにより、対象の習慣的な座席情報を予測する。
【００４７】
ここで、図２を参照して、センサ部１０４の具体的な構成について説明する。図２は、センサ部１０４の具体的な構成例を示すブロック図である。図２に示したように、センサ部１０４は、着座センサ１０４ａと、ＰＣ電源検知センサ１０４ｂなどから構成される。
【００４８】
着座センサ１０４ａは、対象者が自身の椅子に着席しているかを検知する機能を有し、例えば、椅子の座面上に設置される接触センサなどを例示できる。着座センサ１０４ａは、対象者が椅子に座ると接触センサがオンとなり、対象者が椅子から離れると接触センサがオフとなるものである。したがって、着座センサ１０４ａがオンの場合には対象者が着座状態であり、着座センサ１０４ｂがオフの場合には対象者が離席状態となるものである。
【００４９】
ＰＣ電源検知センサ１０４ｂは、対象者がオフィス環境での作業中に恒常的に利用する装置を使用中であるかを検知する機能を有する。例えば、自身の机に置いてある作業用ＰＣなどを使用中であるか否かを検知する。この場合、ＰＣの電源のＯＮ／ＯＦＦを検知することにより、対象者が装置を使用中であるか否かを検知することができる。したがって、センサ部１０４では、着座センサ１０４ａとＰＣ電源検知センサ１０４ｂの２種類のセンサの状態の組み合わせにより、対象者の状態を検知する。
【００５０】
ここで、図３を参照して、着座センサ１０４ａとＰＣ電源検知センサ１０４ｂを利用した場合の対象者の状態の組み合わせについて説明する。着座センサ１０４ａとＰＣ電源検知センサ１０４ｂの「ＯＮ／ＯＦＦ」の状態により、以下のような対象者の状態が検知できる。
着座センサ：ＯＮ    →  対象が座席に座っている。
着座センサ：ＯＦＦ  →  対象が座席に座っていない。
ＰＣ電源  ：ＯＮ    →  対象の使用ＰＣの電源が入っている。
ＰＣ電源  ：ＯＦＦ  →  対象の使用ＰＣの電源が入っていない。
【００５１】
また、ここでは、説明を容易にするため、対象者が使用するオフィス環境内での座席は対象者しか利用しないこととする。例えば、対象者以外も対象者の座席を利用する場合には、誰がその座席を利用したのかを検知する機能を新たに設けてもよい。
【００５２】
図３に示したように、上記した２種類のセンサの状態の組み合わせは、ケース１〜ケース４の４つのケースに分類される。
ケース１：着座センサ：ＯＮ、ＰＣ電源：ＯＮ
ケース２：着座センサ：ＯＮ、ＰＣ電源：ＯＦＦ
ケース３：着座センサ：ＯＦＦ、ＰＣ電源：ＯＮ
ケース４：着座センサ：ＯＦＦ、ＰＣ電源：ＯＦＦ
【００５３】
センサ部１０４で取得されたデータは、行動予測用データベース１０６ｂに上記４つのケースに分類して蓄積される。センサ部１０４のデータの取得は、所定間隔で行ってもよいし、着座センサがＯＮ／ＯＦＦまたはＰＣ電源がＯＮ／ＯＦＦとなった場合に取得してもよい。また、行動予測用データベース１０６ｂに２種類のセンサの状態の組み合わせにより４つのケースに分類して蓄積することとしたが、かかる例に限定されず、各センサで取得した情報をそのまま蓄積するようにしてもよい。
【００５４】
次に、図４を参照して、行動予測用データベース１０６ｂに蓄積されたデータについて説明する。例えば、図４に示したように、センサ部１０４で取得されて行動予測用データベース１０６ｂに蓄積されたデータは、対象者の入力した予定情報とともに管理される。図４では、説明を容易にするために、行動予測用データベース１０６ｂに蓄積されたデータと行動予定表用データベース１０６ａに蓄積されたデータを時系列に並べて表示している。行動予定表処理部１０２は、図６に示した形式で、蓄積されたデータと入力された予定情報とをあわせて出力装置１０３に出力してもよい。
【００５５】
行動予測演算装置１０５は、行動予測用データベース１０６ｂに蓄積されたデータを解析して、対象者の行動を予測する。例えば、対象者の状態が、
ケース４→（ケース２またはケース３）→ケース１
と変化する場合には、この変化の時間帯を出社する時間帯と予測する。また、上記変化する前の時間帯を対象者がオフィスに存在しない状態と予測する。
【００５６】
また、対象者の状態が、
ケース１→（ケース２またはケース３）→ケース４
と変化する場合には、この変化の時間帯を退社する時間帯と予測する。また、上記変化した後の時間帯を対象者がオフィスに存在しない状態と予測する。また、上記２つの変化の状態から、対象者が会社に存在する状態を予測することもできる。このような習慣的な行動予定の情報は、通常、行動予定表には入力されない。しかし、会議開催スケジュールを立てる際には、習慣的な行動予定も考慮する必要がある。上記の方法により取得された予測情報は、行動予定表用データベース１０６ａに提供される。行動予定表用データベース１０６ａでは、行動予定表の空白部分を補完する情報として、予測情報が行動予定表に埋め込まれる。
【００５７】
＜移動時間の予測＞
〔４−２〕準備時間を含んだ予定地までの移動時間の予測方法
次に、対象が予定を実行する場所から移動する時間の予測について説明する。予定を実行する場所の情報や、過去に実施された予定やその予定前後の在席状態の情報から、予定を実行する場所までの移動時間や、移動時間以外の予定に対する準備時間等を予測する。通常、行動予定表には、予定そのものの情報は入力されるが、その予定を行うための事前の準備時間や予定実行場所へ移動する時間などは入力されない。しかし、実際には、このような予定を行うための事前の準備時間や移動時間を考慮して、会議開催スケジュールを立てる必要がある。
【００５８】
ここで、図５を参照して、移動時間を予測する際に必要なデータを蓄積するためのデータベース１０６の具体的な構成例について説明する。図５は、データベース１０６の具体的な構成例を示すブロック図である。図５に示したように、データベース１０６の行動予定表用データベース１０６ａには、予定実行場所情報１０６ａ−１が蓄積される。また、行動予測用データベース１０６ｂには、上記した着座センサ１０４ａにより検知される在席状態情報１０６ｂ−１が蓄積される。
【００５９】
行動予測演算装置１０５は、予定実行場所情報１０６ａ−１および在席状態情報１０６ｂ−１を用いて、対象者の予定地までの移動時間や予定を行うための事前準備時間などを予測する。予定実行場所情報１０６ａ−１は、入力装置１０１に対象者が予定情報とともに入力する予定が実行される場所の情報である。
【００６０】
行動予測演算装置１０５は、例えば、特開平０３−２６２７７２に開示されている技術を利用して、予定実行場所へ移動する際に要する時間を算出する。移動先の情報は、予定実行場所情報１０６ａ−１に記憶されている予定が実行される場所の位置情報である。また、移動元の情報は、行動予定表の対象となる予定の直前の対象者の存在場所の情報である。対象者の存在場所の情報は、座席状態情報１０６ｂ−１を用いて、対象者がオフィス等に存在するかいないかを判断することにより取得可能である。
【００６１】
行動予測演算装置１０５により算出された予定地までの移動予測情報は、行動予定表用データベース１０６ａに提供される。行動予定表用データベース１０６ａでは、行動予定表の空白部分を補完する情報として、移動予測情報を行動予定表に埋め込まれる。
【００６２】
また、過去に実施された予定場所への移動時間や、このときの在席状態情報１０６ｂ−１、および、その際の移動時間の予測情報を用いて、予定に対する準備時間を算出してもよい。具体的には、座席状態情報１０６ｂ−１から、予定直前に上記したケース１（着座センサもＰＣ電源もＯＮ）からケース４（着座センサもＰＣ電源もＯＦＦ）に変化した時間と、移動時間の予測情報の差分を算出して、この差分を予定に対する準備時間とする。
【００６３】
また、蓄積された準備時間の平均値を取ることにより、対象の予定に対する準備時間を予測することが可能となる。行動予測演算装置１０５により算出された準備時間の予測情報は、行動予定表用データベース１０６ａに提供される。行動予定表用データベース１０６ａでは、行動予定表の空白部分を補完する情報として、予測した準値時間の情報が行動予定表に埋め込まれる。
【００６４】
また、対象となる予定の実施時間と、対象者の習慣的な出社、退社時間の傾向から、対象者が予定の実施場所へ直接行くのか、実施場所から直接帰宅するのかを予測してもよい。また、対象者の過去の活動と、直接出勤（直出）するのか直接帰社（直帰）するのかについてのデータを蓄積することにより、対象者の出社、退社時間と予定の実施時間との間にどれくらいの時間差があれば、直出または直帰するのかを予測することもできる。
【００６５】
さらに、データベース１０６に、対象者の個人データとして対象者の自宅の場所（普段の出社元となる場所）の情報が保持されていれば、自宅の場所の情報から直出、直帰を予測することもできる。具体的には、自宅の場所から予定実施場所までの移動時間と、会社から予定実施場所までの移動時間を比較することにより、直出、直帰を予測する。これら、直出するか、直帰するかの情報についても行動予定表には通常入力されない情報であるが、会議開催スケジュールを立てる際に考慮すべき情報である。
【００６６】
＜忙しさの予測＞
〔４−３〕予定実施前の忙しさの予測方法
次に、対象者の予定実施前の忙しさの予測について説明する。対象となる予定の重要度や、予定を実行するまでに必要になりそうな準備の度合いの情報から、予定実行前の忙しさを予測する。ここで、予定実行前の忙しさとは、予定実施前に対象となる予定のために使用を希望する時間量の意味である。
【００６７】
対象となる予定が大きなデモイベントや重要案件の説明会である場合には、資料作り等の準備時間が必要となる。しかし、行動予定表には、予定情報としてデモイベントや重要案件の説明会の予定情報は入力されるが、準備に関する情報は入力されないことが多い。このように、行動予定表には入力されておらず、移動時間でもないが、準備等で忙しい時間帯が発生する。
【００６８】
このような忙しい時間帯には、他の会議等に参加することが不可能ではないが、対象者が会議等に参加することに難色を示すと考えられる。例えば、会議等の予定の直前に長時間の移動時間を必要としない場合でも、その予定の重要度が高かったり、資料作成等の準備に時間がかかったりする場合には、予定の直前に確認作業等のために十分な時間が必要となる可能性が高い。このような時間帯に会議開催スケジュールを立てたとしても、当事者に断られたり、当事者に大きな負担がかかることとなる。
【００６９】
本実施形態では、予定や移動時間情報以外の対象者の忙しさの情報も考慮して会議開催スケジュールを立てることができる。ここで、図７を参照して、忙しさを予測する際に必要なデータを蓄積するためのデータベース１０６の具体的な構成例について説明する。図７は、データベース１０６の具体的な構成例を示すブロック図である。図７に示したように、データベース１０６の行動予定表用データベース１０６ａには、予定重要度情報１０６ａ−２および予定準備必要度情報１０６ａ−３が蓄積される。
【００７０】
予定重要度情報１０６ａ−２は、予定の重要度を例えば５段階などの度合いで入力された値である。また、予定準備必要度情報１０６ａ−３は、予定の準備の必要度を例えば５段階などの度合いで入力された値である。また、行動予測用データベース１０６ｂには、上記した着座センサ１０４ａにより検知される在席状態情報１０６ｂ−１が蓄積される、
【００７１】
行動予測演算装置１０５は、予定重要度情報１０６ａ−２および予定準備必要度情報１０６ａ−３の度合いの情報と、在席状態情報１０６ｂ−１との関係性から、どれくらいの度合いのときに予定実施前にどれくらいの予定のない行動時間を過ごしたか、などを予測する。例えば、重要度と準備必要度の高い予定実施前の出社・退社時間の変化に注目し、予定実施の何日前から習慣的な出社・退社時間と比べて変化しているのかといった部分に注目する。そして、変化した日数の傾向と度合いのレベルを関連付ける。
【００７２】
利用者により行動予定表に予定情報が入力されると、予定情報に関連する情報として入力された予定の重要度と準備必要度の度合いに応じて、入力した予定の期日から蓄積データから得られた出社・退社時間の変化日数前の日にちの行動予定表の空白部分に予定を組み込み難くなることを示す情報を埋め込む。
【００７３】
このように、行動予定表の空白部分を予定情報以外の他の情報をもとに補完することにより、行動予定表上は会議開催可能であるが、別の日程にしたほうがよい場合であると判断することが可能となる。また、予定を組み込み難い度合いの情報を埋め込むことにより、複数の開催候補を挙げる際の順位付けをすることもできる。
【００７４】
上記では、会議開催スケジュールを立てる状況において、対象者の存在場所の予測と状態の予測を行い、これらの情報をもとに行動予定表の空白部分を埋めることとしたが、かかる例に限定されない。例えば、目的に応じて使用するセンサや利用する入力予定情報やそれらを用いて予測方法に異なる形式を利用してもよい。
【００７５】
例えば、メール機能を有する端末でメールアプリケーションの稼動具合を検知したり、携帯電話等のコミュニケーションツール機能を有する端末の携帯具合を検知したりしてもよい。また、電源の状態などを検知して、その状態を蓄積したデータから利用可能なコミュニケーションツールを予測して、該ツールを行動予定表に埋め込んでもよい。この場合、既に予定情報が入っている部分に重畳して予測情報を埋め込むようにしてもよい。また、予定情報の入力要素として、利用可能なコミュケーションツールの情報を入力するようにしてもよい。
【００７６】
以上、行動予定補完システムの動作の詳細について説明した。本実施形態によれば、行動予定表の予定情報が入力されていない空白部分を、センサ部１０４により取得されて蓄積された情報や、入力された予定情報を用いて予測した行動予測情報で補完することができる。これにより、行動予定表には、明示的に入力され難い情報が補完されることとなる。このように空白部分が補完された行動予定表の情報を利用して、対象者の行動を的確に把握して会議開催スケジュールを立てることができる。
【００７７】
例えば、対象者により入力された予定情報に加えて移動時間や準備時間なども加味して会議開催等のスケジュールを立てることができるため、不成立に終わるスケジュールの立案が減少することとなる。また、予測情報も追加された行動予定表にしたがうことで、対象者の都合のよい時間に連絡を取ることが可能となる。さらに、対象者に最適なコミュニケーションツールを用いて連絡を取ることも可能となる。
【００７８】
また、予測情報を補完された自身の行動予定表を見ることにより、自身が予定を開始する時間の目安を知ることができる。また、外出する場合にどれくらいの余裕を持って移動を開始すればよいのか、どれくらいの準備期間が必要なのかを客観的に知ることが可能となる。
【００７９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８０】
例えば、上記実施形態では、対象者の行動を予測して、行動予定表の空白部分を埋めることを目的としたが、本発明はかかる例に限定されない。例えば、センサ部１０４により検知・取得された情報や入力された予定情報を用いた行動予測情報を、行動予定表とは異なる形式のものに用いてもよい。例えば、行動予定表に情報を入力していた各対象者の実画像を表示画面に表示し、その表示画面に行動予測情報を重畳して表示してもよい。行動予測情報が重畳された表示画面から、実映像として表示された現在の対象者の情報と、現在と起点とした過去から未来にかけての予定情報や予測情報を同時に見ることが可能となる。これにより、即時理解性の高い表示を行うことが可能となる。
【００８１】
また、予測情報が埋められた行動予定表の各種情報を、利用者の入力に応じて修正したり変更したりするようにしてもよい。
【符号の説明】
【００８２】
１０    行動予定補完システム
１０１    入力装置
１０２    行動予定表処理部
１０３    出力装置
１０４    センサ部
１０５    行動予測演算装置
１０６    データベース
１０６ａ  行動予定表用データベース
１０６ｂ  行動予測用データベース
【図１】
2011070501.tif 000003
【図２】
2011070501.tif 000004
【図３】
2011070501.tif 000005
【図４】
2011070501.tif 000006
【図５】
2011070501.tif 000007
【図６】
2011070501.tif 000008
【図７】
2011070501.tif 000009
【図８】
2011070501.tif 000010
【図９】
2011070501.tif 000011